(57)【要約】      （修正有）【課題】細かな箇所も大きな箇所も対応可能で、消しゴムをカバーから押し出す際に別個のものを使うことなく、消しゴムが折れにくく、短くなっても使用しやすい消しゴムを提供する。【解決手段】第１の消しゴム１００、第１の消しゴム部より細い第２の消し部ゴム２００、第１の消しゴム部及び第２の消しゴム部を出し入れ可能に収納するケース３００、第１の消しゴム部をケースから押し出す第１の把手、第２の消しゴム部をケースから押し出す第２の把手５００を備え、ケースは第１の消しゴム部を出し入れ可能に収納する第１の収納部、第２の消しゴム部を出し入れ可能に収納する第２の収納部を有し、第１の収納部はケースの外面の第１の溝部で、第２の収納部はケースの外面の第２の溝部でケースの外側と繋がり、第１の溝部には第１の把手が、第２の溝部には第２の把手が嵌まり込む。【選択図】図１
2020185780.tif 000002
【特許請求の範囲】
【請求項１】
第１の消しゴム部と、第１の消しゴム部より細い第２の消しゴム部と、第１の消しゴム部及び第２の消しゴム部を出し入れ可能に収納するケースと、第１の消しゴム部をケースから押し出す第１の把手と、第２の消しゴム部をケースから押し出す第２の把手とを具備しており、前記ケースは第１の消しゴム部を収納する出し入れ可能に第１の収納部と、第２の消しゴム部を出し入れ可能に収納する第２の収納部とを有しており、前記第１の収納部はケースの外面に形成された第１の溝部で、第２の収納部はケースの外面に形成された第２の溝部でそれぞれケースの外側と繋がっており、第１の溝部には第１の把手が、第２の溝部には第２の把手がそれぞれ嵌まり込むことを特徴とする消しゴム。
【請求項２】
前記第１の消しゴム部と第１の収納部との間、前記第２の消しゴム部と第２の収納部との間の少なくとも一方には消しゴム部の折れを防止する折れ防止カバーが設けられていることを特徴とする請求項１記載の消しゴム。
【請求項３】
前記折れ防止カバーは、第１の消しゴム部又は第２の消しゴム部が挿入可能な筒体であり、第１の消しゴム部又は第２の消しゴム部の出し入れに従って第１の収納部又は第２の収納部から出し入れされることを特徴とする請求項２記載の消しゴム。
【請求項４】
前記第１の溝部には第１の凹凸部が、第２の溝部には第２の凹凸部がそれぞれ設けられており、前記第１の凹凸部は第１の把手と、前記第２の凹凸部は第２の把手と対応しており、第１の消しゴム部及び第２の消しゴム部のケースからの突出量を間欠的に変化させることができるようになっていることを特徴とする請求項１、２又は３記載の消しゴム。
【発明の詳細な説明】
【技術分野】
【０００１】  本発明は、細かい箇所も大きな箇所も容易に消すことができ、しかも折れにくい消しゴムに関する。
【背景技術】
【０００２】  従来の消しゴムは、直方体状に形成されており、細かな箇所を消す際には角部を、大きな箇所を消す際には全体を使っている。
しかし、角部はすぐにすり減って丸くなってしまうので、使っているうちに細かな箇所を消す際に周囲まで消えてしまう問題があった。
細い消しゴムを使用すれば、細かな箇所を消すことはできるが、少し力を入れると折れてしまうという問題もあった。【０００３】  このような問題を解決するために、特開２００５−３３５２１１号公報記載のような消しゴムが創案されている。
この消しゴムは『外方側消しゴム部と、上記外方側消しゴム部内方に配置される内方側消しゴム部とを備え、上記外方側消しゴム部には内方側消しゴム部の収納部が設けられ、内方側消しゴム部は上記収納部内に移動可能に配置され、上記内方側消しゴム部の使用時には上記外方側消しゴム部の外方に突出する』消しゴムである。【０００４】  この消しゴムでは、細かな箇所を消す時には内方側消しゴム部を鉛筆等で押し出して使用し、大きな箇所を消す時には内方側消しゴム部を外方側消しゴム部に押し込んで使用するので、細かな箇所にも大きな箇所にも対応できるものである。【０００５】
【特許文献１】特開２００５−３３５２１１号公報
【発明の開示】
【発明が解決しようとする課題】
【０００６】  しかしなから、この消しゴムでは、内方側消しゴム部を使用する際には、鉛筆等の別個のもので内方側消しゴム部を押し出す必要があった。また、内方側消しゴム部が短くなると使用しにくいという問題があった。【０００７】  本発明は、上記事情に鑑みて創案されたもので、細かな箇所にも大きな箇所にも対応することができ、消しゴム部をカバーから押し出す際に鉛筆等の別個のものを使用する必要がなく、細かな箇所に対応した細長い消しゴムが折れにくく、かつ短くなっても使用しやすい消しゴムを提供することを目的としている。
【課題を解決するための手段】
【０００８】  本発明に係る消しゴムは、第１の消しゴム部と、第１の消しゴム部より細い第２の消しゴム部と、第１の消しゴム部及び第２の消しゴム部を出し入れ可能に収納するケースと、第１の消しゴム部をケースから押し出す第１の把手と、第２の消しゴム部をケースから押し出す第２の把手とを備えており、前記ケースは第１の消しゴム部を出し入れ可能に収納する第１の収納部と、第２の消しゴム部を出し入れ可能に収納する第２の収納部とを有しており、前記第１の収納部はケースの外面に形成された第１の溝部で、第２の収納部はケースの外面に形成された第２の溝部でそれぞれケースの外側と繋がっており、第１の溝部には第１の把手が、第２の溝部には第２の把手がそれぞれ嵌まり込むようになっている。
【発明の効果】
【０００９】  本発明に係る消しゴムは、ケースから第１の把手及び第２の把手で出し入れ自在になった第１の消しゴム部及び第２の消しゴム部を有しているので、細かな箇所にも大きな箇所にもにも対応することができる。
しかも、第１の消しゴム部及び第２の消しゴム部は、第１の把手及び第２の把手でケースから出し入れ自在になっているので、使用する際にのみ突出させることができる。このため、消しゴム部をカバーから押し出す際に鉛筆等の別個のものを使用する必要がない。
さらに、消しゴム部は、折れ防止カバーによって保護されているので折れにくくなっている。
【図面の簡単な説明】
【００１０】
【図１】  本発明の実施の形態に係る消しゴムの概略的斜視図である。
【図２】  本発明の実施の形態に係る消しゴムの概略的斜視図である。
【図３】  本発明の実施の形態に係る消しゴムを構成するケースの概略的斜視図である。
【図４】  本発明の実施の形態に係る消しゴムを構成するケースの概略的斜視図である。
【図５】  本発明の実施の形態に係る消しゴムを構成する第１の消しゴム部の概略的斜視図である。
【図６】  本発明の実施の形態に係る消しゴムを構成する第２の消しゴム部の概略的斜視図である。
【図７】  本発明の実施の形態に係る消しゴムを構成する第１及び第２の把手の概略的斜視図である。
【発明を実施するための形態】
【００１１】  本発明の実施の形態に係る消しゴム１０００は、第１の消しゴム部１００と、第１の消しゴム部１００より細い第２の消しゴム部２００と、第１の消しゴム部１００及び第２の消しゴム部２００を出し入れ可能に収納するケース３００と、第１の消しゴム部１００をケース３００から押し出す第１の把手４００と、第２の消しゴム部２００をケース３００から押し出す第２の把手５００とを備えており、前記ケース３００は第１の消しゴム部１００を出し入れ可能に収納する第１の収納部３１０と、第２の消しゴム部２００を出し入れ可能に収納する第２の収納部３２０とを有しており、前記第１の収納部３１０はケース３００の外面に形成された第１の溝部３１１で、第２の収納部３２０はケース３００の外面に形成された第２の溝部３２１でそれぞれケース３００の外側と繋がっており、第１の溝部３１１には第１の把手４００が、第２の溝部３２１には第２の把手５００がそれぞれ嵌まり込むようになっている。
【００１２】  前記第１の消しゴム部１００は、図５等に示すように、直方体状に形成されており、最も大きな面の下方中央部に凹部１１０が形成されている。この凹部１１０は、後述する第１の把手４００が連結される部分である。この第１の消しゴム部１００は、例えばポリ塩化ビニル、スチレン系やオレフィン系の合成ゴム（熱可塑性エラストマー）から構成されるが本発明がこれに限定されるものではない。
【００１３】  また、前記第２の消しゴム部１００は、図６等に示すように、第１の消しゴム部１００より細い直方体状に形成されており、最も大きな面の下方中央部に凹部２１０が形成されている。この凹部２１０は、後述する第２の把手５００が連結される部分である。この第２の消しゴム部２００も、例えばポリ塩化ビニル、スチレン系やオレフィン系の合成ゴム（熱可塑性エラストマー）から構成されるが、本発明はこれに限定されるものではない。
なお、この第２の消しゴム部２００の長さ寸法と前記第１の消しゴム部１００の長さ寸法とは、等しく設定されている。
【００１４】  前記ケース３００は、全体として直方体状に形成されており、その長手方向に第１の消しゴム部１００を出し入れ可能に収納する第１の収納部３１０と、第２の消しゴム部２００を出し入れ可能に収納する第２の収納部３２０とが形成されている。
【００１５】  前記第１の収納部３１０は、収納されるべき第１の消しゴム部１００の外形寸法とほぼ同じ大きさに設定されているので、収納された第１の消しゴム部１００は第１の収納部３１０に出し入れ可能に収納される。
また、この第１の収納部３１０は、ケース３００の外面に形成された第１の溝部３１１でケース３００の外側と繋がっている。この第１の溝部３１１は、ケース３００の高さ寸法、すなわち第１の消しゴム部１００の長さ方向に沿って形成されている。また、この第１の溝部３１１の一方の縁部には、第１の消しゴム部１００の突出量を間欠的に変化させることができるように一定間隔の第１の凹凸部３１２が形成されている。
なお、この第１の収納部３１０は、第１の消しゴム部１００の長さ寸法とほぼ等しい長さに設定されているので、未使用の第１の消しゴム部１００が完全に収納できるようになっている。
【００１６】  前記第２の収納部３２０は、収納されるべき第２の消しゴム部２００の外形寸法とほぼ同じ大きさに設定されているので、収納された第２の消しゴム部２００は第２の収納部２１０に出し入れ可能に収納される。
また、この第２の収納部３２０は、ケース３００の外面に形成された第２の溝部３２１でケース３００の外側と繋がっている。この第２の溝部３２１は、ケース３００の高さ寸法、すなわち第２の消しゴム部２００の長さ方向に沿って形成されている。また、この第２の溝部３２１の一方の縁部には、第２の消しゴム部２００の突出量を間欠的に変化させることができるように一定間隔の第２の凹凸部３２２が形成されている。
なお、この第２の収納部３２０は、第２の消しゴム部２００の長さ寸法とほぼ等しい長さに設定されているので、未使用の第２の消しゴム部２００が完全に収納できるようになっている。
【００１７】  前記第１の消しゴム部１００と第１の収納部３１０との間には、第１の消しゴム部１００の折れを防止する折れ防止カバー６００が設けられている。
この折れ防止カバー６００は、第１の消しゴム部１００が挿入可能な角形の筒体であり、第１の消しゴム部１００は折れ防止カバー６００に挿入された状態で第１の収納部３１０に収納することができるようになっている。
かかる折れ防止カバー６００は、第１の消しゴム部１００の出し入れに従って第１の収納部３１０から出し入れされるようになっている。
この折れ防止カバー６００には、図４に示すように、第１の溝部３１１に対応したカバー溝部６１０が形成されている。
【００１８】  前記第１の把手４００は、図７に示すように、第１の消しゴム部１００の凹部１１０に挿入される凸部４１０と、この凸部４１０より大きな操作部４２０とが一体に形成されている。前記操作部４２０は、幅寸法が第１の溝部３１１の幅寸法より大きく設定されており、裏面側（凸部４１０が突出している側）には、第１の凹凸部３１２に対応した略三角形状の爪部４３０が凸部４１０の基端部の略中央に突出形成されている。
また、前記凸部４１０は、ケース３００の第１の収納部３１０に収納された第１の消しゴム部１００の凹部１１０に、前記第１の溝部３１１を介して挿入される。
この第１の把手４００は、図１に示す矢印Ａ方向にスライド可能となっている。
【００１９】  前記第２の把手５００には、前記第１の把手４００と同じものが使用される。すなわち第２の把手５００は、図７に示すように、第２の消しゴム部２００の凹部２１０に挿入される凸部５１０と、この凸部５１０より大きな操作部５２０とが一体に形成されている。前記操作部５２０は、幅寸法が第２の溝部３２１の幅寸法より大きく設定されており、裏面側（凸部５１０が突出している側）には、第２の凹凸部３２２に対応した略三角形状の爪部４３０が凸部５１０の基端部の略中央に突出形成されている。
また、前記凸部５１０は、ケース３００の第２の収納部３２０に収納された第２の消しゴム部２００の凹部２１０に、前記第２の溝部３２１を介して挿入される。
この第２の把手５００は、図２に示す矢印Ｂ方向にスライド可能となっている。
【００２０】  次に、上述したように構成された消しゴム１０００の使用方法について説明する。
使用しない場合は第１の消しゴム部１００、第２の消しゴム部２００ともに、ケース３００の第１の収納部３１０、第２の収納部３２０に収納しておく。第１の消しゴム部１００、第２の消しゴム部２００ともにケース３００に収納されているので、筆箱等に収納しておいても折れたり汚れたりすることがない。
【００２１】  大きな箇所を消す場合には、第１の把手４００を用いて第１の消しゴム部１００のみを第１の収納部３１０から突出させる。第１の消しゴム部１００の突出している部分は、最小限にすることができるので、折れるおそれは少なくなっている。
しかも、第１の消しゴム部１００の周囲は折れ防止カバー６００が囲んでいるため、より折れるおそれが少なくなっている。
なお、第１の消しゴム部１００を使用することによって短くなった場合には、第１の把手４００を操作することでさらに第１の消しゴム部１００部を突出させる。
使用後は、第１の把手４００を用いて第１の消しゴム部１００を折れ防止カバー６００とともに第１の収納部３１０内に完全に収納する。
【００２２】  細かな箇所を消す場合には、第２の把手５００を用いて第２の消しゴム部２００のみを第２の収納部３２０から突出させる。第２の消しゴム部２００の突出している部分は、最小限にすることができるので、折れるおそれは少なくなっている。
なお、第２の消しゴム部２００を使用することによって短くなった場合には、第２の把手５００を操作することでさらに第２の消しゴム部２００を突出させる。
使用後は、第２の把手５００を用いて第２の消しゴム部２００を第２の収納部３２０内に完全に収納する。
【００２３】  この消しゴム１０００であれば消す箇所の大きさに応じた第１の消しゴム部１００、第２の消しゴム部２００を選択することができるので、消したい箇所のみをより確実に消すことか可能になる。
また、第１の消しゴム部１００、第２の消しゴム部２００とも、第１の溝部３１１の第１の凹凸部３１２、第２の溝部３２１の第２の凹凸部３２２によってその突出量は間欠的に変化させることができる。すなわち、第１の消しゴム部１００、第２の消しゴム部２００の突出量をむやみに大きくすることで生じる、折れの危険性は最小限のものとなっている。
しかも、第１の消しゴム部１００、第２の消しゴム部２００は、従来のもののように別個のもの（例えば、鉛筆等）で押し出すのではなく、把手４００、５００で押し出すので、手間が少なくて済む。
【００２４】  なお、上述した実施の形態では、折れ防止カバー６００は第１の消しゴム部１００にのみ設けているとしたが、第２の消しゴム部２００に設けることも可能であり、また両消しゴム部１００、２００に設けることも可能である。
【符号の説明】
【００２５】  １００    第１の消しゴム部
２００    第２の消しゴム部
３００    ケース
３１０    第１の収納部
３１１    第１の溝部
３２０    第２の収納部
３２１    第２の溝部
４００    第１の把手
５００    第２の把手
１０００  消しゴム
【図１】
2020185780.tif 000003
【図２】
2020185780.tif 000004
【図３】
2020185780.tif 000005
【図４】
2020185780.tif 000006
【図５】
2020185780.tif 000007
【図６】
2020185780.tif 000008
【図７】
2020185780.tif 000009
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
第１の消しゴム部と、第１の消しゴム部より細い第２の消しゴム部と、第１の消しゴム部及び第２の消しゴム部を出し入れ可能に収納するケースと、第１の消しゴム部をケースから押し出す第１の把手と、第２の消しゴム部をケースから押し出す第２の把手とを具備しており、前記ケースは第１の消しゴム部を出し入れ可能に収納する第１の収納部と、第２の消しゴム部を出し入れ可能に収納する第２の収納部とを有しており、前記第１の収納部はケースの外面に形成された第１の溝部で、第２の収納部はケースの外面に形成され第２の溝部でそれぞれケースの外側と繋がっており、第１の溝部には第１の把手が、第２の溝部には第２の把手がそれぞれ嵌まり込み、
前記第１の消しゴム部と第１の収納部との間、前記第２の消しゴム部と第２の収納部との間の少なくとも一方には消しゴム部の折れを防止する折れ防止カバーが設けられており、
前記折れ防止カバーは、第１の消しゴム部又は第２の消しゴム部が挿入可能な筒体であり、第１の消しゴム部又は第２の消しゴム部の出し入れに従って第１の収納部又は第２の収納部から出し入れされることを特徴とする消しゴム。
【請求項２】
前記第１の溝部には第１の凹凸部が、第２の溝部には第２の凹凸部がそれぞれ設けられており、前記第１の凹凸部は第１の把手と、前記第２の凹凸部は第２の把手と対応しており、第１の消しゴム部及び第２の消しゴム部のケースからの突出量を間欠的に変化させることができるようになっていることを特徴とする請求項１記載の消しゴム。
【手続補正２】
【補正対象書類名】明細書
【補正対象項目名】０００８
【補正方法】変更
【補正の内容】
【０００８】  本発明に係る消しゴムは、第１の消しゴム部と、第１の消しゴム部より細い第２の消しゴム部と、第１の消しゴム部及び第２の消しゴム部を出し入れ可能に収納するケースと、第１の消しゴム部をケースから押し出す第１の把手と、第２の消しゴム部をケースから押し出す第２の把手とを備えており、前記ケースは第１の消しゴム部を出し入れ可能に収納する第１の収納部と、第２の消しゴム部を出し入れ可能に収納する第２の収納部とを有しており、前記第１の収納部はケースの外面に形成された第１の溝部で、第２の収納部はケースの外面に形成され第２の溝部でそれぞれケースの外側と繋がっており、第１の溝部には第１の把手が、第２の溝部には第２の把手がそれぞれ嵌まり込み、前記第１の消しゴム部と第１の収納部との間、前記第２の消しゴム部と第２の収納部との間の少なくとも一方には消しゴム部の折れを防止する折れ防止カバーが設けられており、前記折れ防止カバーは、第１の消しゴム部又は第２の消しゴム部が挿入可能な筒体であり、第１の消しゴム部又は第２の消しゴム部の出し入れに従って第１の収納部又は第２の収納部２から出し入れされるようになっている。